(57)【要約】      （修正有）【課題】充填材や金具を接合部に使用せず、施工性に優れた防水・防災効果の永続する壁面板を提供すること。【解決手段】複数の防水障壁３、３ａ、５、５ａ、とビス止め用座孔４を設けた上端、側端のアンダープレート２を充填材やビス以外の金具を使用することなく、隣接壁面板にて覆い雨水を遮断しつつ空気のみ通過させ、壁面裏に空気の流れを発生させる呼吸する壁とし、又、漏水回収用導入口８の形成及び壁面板１の下部両側面に突起９ａ、突起収納凹み９を形成した側面板１とする。【選択図】図１
2005105572.tif 000002
【特許請求の範囲】
【請求項１】
右側端または左側端の何れか片方と上端に、施工時に隣接する壁面板の背面に接合されるアンダープレートを有し、その各アンダープレートには複数の防水障壁と躯体へのビス止め用座孔とを設け、かつアンダープレートを有しない方の側端の背面と下端背面にも複数の防水障壁を有する壁面板であって、上端のアンダープレートには十字型接合またはＴ字型接合、施工時に隣接する壁面板の側端アンダープレートの下部を収納するポケットを有し、かつ背面に通気口を形成してなることを特徴とする壁面板。
【請求項２】
右側端または左側端の何れか片方と上端に、施工時に隣接する壁面板の背面に接合されるアンダープレートを有し、その各アンダープレートには複数の防水障壁と躯体へのビス止め用座孔とを設け、かつアンダープレートを有しない方の側端の背面と下端背面にも複数の防水障壁を有する壁面板であって、上端のアンダープレートには十字型接合またはＴ字型接合、施工時に隣接する壁面板の側端アンダープレートの下部を収納するポケットを有し、その上端のアンダープレート上部小口に漏水回収の導入口を形成してなることを特徴とする請求項１記載の壁面板。
【請求項３】
右側端または左側端の何れか片方と上端に、施工時に隣接する壁面板の背面に接合されるアンダープレートを有し、その各アンダープレートには複数の防水障壁と躯体へのビス止め用座孔とを設け、かつアンダープレートを有しない方の側端の背面と下端背面にも複数の防水障壁を有する壁面板であって、上端のアンダープレートには十字型接合またはＴ字型接合、施工時に隣接する壁面板の側端アンダープレートの下部を収納するポケットを有し、その壁面板のアンダープレートのない方の側面下部に突起を形成し、又、アンダープレート側の側面下部に先述の突起収納用凹みを形成してなることを特徴とする請求項１及び請求項２記載の壁面板。
【発明の詳細な説明】
【技術分野】
【０００１】
本発明は外装建材として使用する壁面板に関するものである。
【背景技術】
【０００２】
従来から住宅等には外壁材として壁面板が使用されている。この従来の壁面板は意匠の多様化や塗装技術の開発、又、安全性においては無石綿化へ移行する等様々な工夫がなされてきたが、防水性においては、充填材によるシーリング工法が行われている。これは壁面板の接合部から雨水の侵入を防止する為である。又、施工性や防災性を向上させるべく施工金具の改良開発もなされている。
【発明の開示】
【発明が解決しようとする課題】
【０００３】
しかしながら、従来の壁面板は防水性・防災性においては、壁面板の接合を充填材によるシーリングの為、築後年数の経過と共に構造躯体の狂いや充填材の劣化等により、初期のシール効果を永続維持することができないといった問題がある。又、防災機能を高め施工性を向上させる為の金具の使用はコスト高になるといった問題がある。
【０００４】
そこで本発明の目的とするところは、充填材や金具を接合部に使用せず、施工性に優れた防水・防災効果の永続する壁面板を提供することにある。
【課題を解決するための手段】
【０００５】
上記の目的を達成する為に本発明の請求項１に記載の発明は、垂直壁面にビス止め施工する壁面板１であって、片方の側端と上端に、施工時に隣接する壁面板の背面に接合されるアンダープレート２を有し、その各アンダープレート２上には複数の防水障壁３、３ａと躯体へのビス止め用座孔４とを設け、かつアンダープレート２を有しない方の側端の背面と下端背面にも複数の防水障壁５、５ａを有する壁面板１であって、上端のアンダープレート２には十字型接合又はＴ字型接合、施工時に隣接する壁面板１の側端アンダープレート２の下部を収納するポケット６、６ａを有し、かつ背面に通気口７を形成してなることを特徴とする。
【０００６】
また、請求項２に記載の壁面板１は上端アンダープレート２の上部小口に漏水回収の導入口８を形成してなることを特徴とする。
【０００７】
さらに、請求項３に記載の壁面板１はその壁面板１の側端アンダープレート２のない方の側面下部に突起９ａをアンダープレート２側の側面下部に突起収納用凹み９を形成してなることを特徴とする。
【０００８】
尚、記号は図面及び後述する発明の実施の形態に記載された対応要素、又は対応事項を示す。
【０００９】
本発明の請求項１に記載の壁面板によれば、充填材や金具を接合部に使用しなくても複数のビス止めにより施工性に優れた壁面を施工することができる。又、上端アンダープレートに設けられたアンダープレート収納ポケットにより、十字型接合やＴ字型接合いずれの施工方法においても、躯体への取付けビスの頭を隣接の壁面板で被いながら、その壁面全体をフラットに保ちながら防水機能に優れた三枚重ね工法を可能とした。さらに、アンダープレート収納ポケット背面両側の凹みは通気口として利用できる等、デザイン的にも防災的にも優れた壁面板を提供することができる。
【００１０】
そして請求項２に記載の壁面板によれば、上端アンダープレート上部小口に設けた漏水回収の為の導入口の形成により、接合部より、強風により壁面板後面に滲み出た雨水や毛細管現象による漏水も導入口から回収され、壁面板前面へ排出することができる。その為、壁面内部の防湿効果の高い壁面板を提供することができる。
【００１１】
さらに請求項３に記載の壁面板によれば、壁面板下部側面に設けられた凹凸の隣接の壁面板との組み合わせにより、十字型合せ部やＴ字型合せ部を金具等の使用なしで強固に固定できる壁面板を提供することができる。
【発明の効果】
【００１２】
以上の通り本発明の請求項１に記載の壁面板によれば、充填材によるシーリング工法や金具工法を使用しなくても、一段下がった位置に設けられた上端と片側端に一体形成されたアンダープレート上の防水障壁や収納ポケットの形成により、フラットな壁面にもかかわらず防水性・施工性に優れた三枚重ね工法を実現することができる。
【００１３】
又、充填材や金具を使用しない施工工法は、雨水と空気を分離する防水障壁や浸入水滴を捕捉排出する導入口の形成により、雨水の浸入を防ぎながら壁面裏に空気の流れを生じさせ、呼吸する壁の通気工法により防水や結露対策に優れた壁面を提供することができる。
【００１４】
そして請求項３の金具を使用することなく四方の内の一部を隣接する壁面板同士の凹凸による組合わせ施工は、防災性・生産性に優れた壁面を提供することができる。
【発明を実施するための最良の形態】
【００１５】
図１乃至図８を参照して本発明の実施形態に係る壁面板について説明する。図１は壁面板１を示す正面図である。図２は同背面図、図３は右側面図、図４は左側面図、図５は平面図、図６は底面図、図７は側面接合参考図、図８は上部接合参考図、図９は十字型接合参考図、図１０はＴ字型接合参考図。
【００１６】
本発明の実施形態に係る壁面板１は、上端と片方の側端にアンダープレート２を有し、そのプレート上に防水障壁３、３ａと躯体へのビス止め用座孔４を設け、そしてアンダープレート２とは反対側にある側端と下端背面にも複数の防水障壁５、５ａが形成されている。
【００１７】
本実施形態において、この防水障壁５と５ａは隣接する壁面板１の防水障壁３と５が、防水障壁３ａと５ａがそれぞれ組合わせ接合できるよう形成されている。
【００１８】
本発明の実施形態に係る壁面板１は、充填材によるシーリング工法や金具による接合を行わない為、壁面板１の接合部は防水機能上、部分的に三枚重ねとする必要がある。従って防水機能を保持しながら壁正面を段差のないフラットな面に施工する手段として上端アンダープレート２に収納ポケット６、６ａが形成されている。
【００１９】
本実施形態において、この収納ポケット６、６ａは形成されることにより必然的に上端アンダープレート２の背面に凹凸を形成し、通気口７となる。この通気口７はリフォーム等により既存の壁面に直張り施工時には防湿・結露の対策として必須構造である。
【００２０】
尚、本実施形態において上端アンダープレート２の上部小口に形成された導入口８により、防水障壁３及び５により勢いを削がれて捕捉された水滴や、毛細管現象により滲み出た水分を速やかに壁面板１正面に排出する為に、防水障壁３及び５の接合部にはクリアランスが非常に重要である。通常の降雨でなく、暴風雨時の風雨の勢いを考慮すれば側端接合部０．５〜１．０ｍｍ、上端接合部１．０〜１．５ｍｍのクリアランスが適当である。
【００２１】
そして本実施形態において、壁面板１の施工にあたり充填材や金具等を使用せず壁の背面に空気の流れを作る呼吸する壁工法には、壁面板１の躯体への確実な固定が不可欠である。その為には、四角の側面板１には４本のビスによる固定が妥当であるが、当該壁面板１のビス頭を正面に出さない防水工法においては、構造的にどうしても１ヶ所だけビス止めが不可能であったが、壁面板１の下端両側に突起９ａとその収納用凹み９を形成しその隣接する壁面板１同士の突起９ａと凹み９の組合わせ接合により解決することができる。
【図面の簡単な説明】
【００２２】
【図１】正面図
【図２】背面図
【図３】右側面図
【図４】左側面図
【図５】平面図
【図６】底面図
【図７】側端接合参考図（断面）
【図８】上端接合参考図（断面）
【図９】十字型接合参考図
【図１０】Ｔ字型接合参考図
【符号の説明】
【００２３】
１    壁面板
２    アンダープレート
３    上端防水障壁
３ａ  側端防水障壁
４    ビス止め用座孔
５    下端背面の防水障壁
５ａ  側端背面の防水障壁
６    アンダープレート収納ポケット（十字型接合用）
６ａ  アンダープレート収納ポケット（Ｔ字型接合用）
７    通気口
８    漏水導入口
９    突起収納凹み
９ａ  突起
【図１】
2005105572.tif 000003
【図２】
2005105572.tif 000004
【図３】
2005105572.tif 000005
【図４】
2005105572.tif 000006
【図５】
2005105572.tif 000007
【図６】
2005105572.tif 000008
【図７】
2005105572.tif 000009
【図８】
2005105572.tif 000010
【図９】
2005105572.tif 000011
【図１０】
2005105572.tif 000012